(57)【要約】【課題】紙幣の最大収納枚数を多くすることができる紙幣収納装置および紙幣処理機を提供する。【解決手段】紙幣収納装置（例えば、収納繰出部２０）は、ケーシング２０ａの内部において当該ケーシング２０ａの奥行き方向に並ぶよう設けられた複数の紙幣収納機構２４、２６を備えており、ケーシング２０ａの奥行き方向に直交する方向かつ各回転体（例えば、各ドラム２４ａ、２６ａ）の軸方向に直交する方向である所定方向において少なくとも１つの回転体は各巻き取り部材収容部（例えば、各リール２５ａ、２５ｂ、２７ａ、２７ｂ）に重ならないような位置に配置されている。【選択図】図８
2018081568.tif 000002
【特許請求の範囲】
【請求項１】
ケーシングと、
前記ケーシングの内部において当該ケーシングの奥行き方向に並ぶよう設けられ、前記ケーシングの外部から内部に送られた紙幣を収納するとともに収納されている紙幣を繰り出す複数の紙幣収納機構と、
を備え、
各前記紙幣収納機構は、前記奥行き方向に直交する軸を中心として回転する回転体と、前記回転体にその一端が接続される帯状の巻き取り部材と、前記巻き取り部材の他端が接続され、当該巻き取り部材を収容可能な巻き取り部材収容部とを有しており、各前記紙幣収納機構は、前記巻き取り部材により紙幣を前記回転体に巻き取ることにより紙幣を収納するとともに前記回転体に巻き取られた前記巻き取り部材を当該回転体から巻き出すことにより紙幣を１枚ずつ繰り出すようになっており、
前記ケーシングの奥行き方向に直交する方向かつ各前記回転体の軸方向に直交する方向である所定方向において少なくとも１つの前記回転体は各前記巻き取り部材収容部に重ならないような位置に配置されている、紙幣収納装置。
【請求項２】
前記所定方向において全ての前記回転体が各前記巻き取り部材収容部に重ならないような位置に配置されている、請求項１記載の紙幣収納装置。
【請求項３】
各前記紙幣収納機構は、前記回転体および前記巻き取り部材収容部の少なくともいずれか一方を回転駆動させる駆動部を有しており、
前記所定方向において少なくとも１つの前記回転体は各前記駆動部に重ならないような位置に配置されている、請求項１または２記載の紙幣収納装置。
【請求項４】
少なくとも１つの前記紙幣収納機構について、最大枚数の紙幣が収納されたときの前記回転体に巻かれた前記巻き取り部材の外周縁が前記所定方向において各前記巻き取り部材収容部に重ならないようになっている、請求項１乃至３のいずれか一項に記載の紙幣収納装置。
【請求項５】
全ての前記紙幣収納機構について、最大枚数の紙幣が収納されたときの前記回転体に巻かれた前記巻き取り部材の外周縁が前記所定方向において各前記巻き取り部材収容部に重ならないようになっている、請求項４記載の紙幣収納装置。
【請求項６】
全ての前記紙幣収納機構について、最大枚数の紙幣が収納されたときの前記回転体に巻かれた前記巻き取り部材の外周縁が前記ケーシングの奥行き方向においていずれかの前記巻き取り部材収容部と少なくとも一部が重なるようになっている、請求項１乃至５のいずれか一項に記載の紙幣収納装置。
【請求項７】
各前記紙幣収納機構は、前記回転体および前記巻き取り部材収容部の少なくともいずれか一方を回転駆動させる駆動部を有しており、
全ての前記回転体について、最大枚数の紙幣が収納されたときの当該回転体に巻かれた前記巻き取り部材の外周縁が前記ケーシングの奥行き方向においていずれかの前記駆動部と少なくとも一部が重なるようになっている、請求項６記載の紙幣収納装置。
【請求項８】
少なくとも１つの前記紙幣収納機構において、前記巻き取り部材収容部は、当該巻き取り部材収容部に接続される前記巻き取り部材の一端が接続される前記回転体よりも前記ケーシングの奥行き方向における奥側に配置されている、請求項１乃至７のいずれか一項に記載の紙幣収納装置。
【請求項９】
全ての前記紙幣収納機構において、前記巻き取り部材収容部は、当該巻き取り部材収容部に接続される前記巻き取り部材の一端が接続される前記回転体よりも前記ケーシングの奥行き方向における奥側に配置されている、請求項８記載の紙幣収納装置。
【請求項１０】
各前記紙幣収納機構は、前記回転体および前記巻き取り部材収容部の少なくともいずれか一方を回転駆動させる駆動部を有しており、
少なくとも１つの前記紙幣収納機構において、前記駆動部は、当該駆動部が回転駆動させる前記回転体よりも前記ケーシングの奥行き方向における奥側に配置されている、請求項８または９記載の紙幣収納装置。
【請求項１１】
複数の前記回転体のうち前記ケーシングの奥行き方向における奥側に配置される前記回転体の周囲に全ての前記巻き取り部材収容部が配置されている、請求項１乃至１０のいずれか一項に記載の紙幣収納装置。
【請求項１２】
複数の前記回転体のうち前記ケーシングの奥行き方向における奥側に配置される前記回転体の周囲に全ての前記駆動部が配置されている、請求項１０記載の紙幣収納装置。
【請求項１３】
前記ケーシングは略直方体形状であり、前記ケーシングの最も面積が広い長方形の側面の長辺方向が前記ケーシングの奥行き方向であり、前記所定方向は、各前記回転体の軸方向に直交する面に沿った方向で、前記ケーシングの最も面積が広い長方形の側面の長辺に直交する面に沿った方向である、請求項１乃至１２のいずれか一項に記載の紙幣収納装置。
【請求項１４】
前記ケーシングの内部において２つの前記紙幣収納機構が設けられており、
各前記回転体の軸方向に直交する前記ケーシングの側面の短辺の長さに対する長辺の長さの割合は２乃至３の範囲内の大きさである、請求項１３記載の紙幣収納装置。
【請求項１５】
前記ケーシングの奥行き方向における奥側に配置される前記回転体に巻かれる紙幣の最大枚数が手前側に配置される前記回転体に巻かれる紙幣の最大枚数よりも多くなっている、請求項１乃至１４のいずれか一項に記載の紙幣収納装置。
【請求項１６】
紙幣を搬送する搬送部と、
請求項１乃至１５のいずれか一項に記載の紙幣収納装置と、
を備え、
前記搬送部から前記紙幣収納装置に送られた紙幣が各前記紙幣収納機構に収納されるとともに各前記紙幣収納機構から繰り出された紙幣が前記搬送部に送られるようになっている、紙幣処理機。
【請求項１７】
複数の前記紙幣収納装置が並列に並ぶよう配置されている、請求項１６記載の紙幣処理機。
【発明の詳細な説明】
【技術分野】
【０００１】
本発明は、紙幣を収納するとともに収納されている紙幣を繰出可能な紙幣収納装置およびこのような紙幣収納装置を備えた紙幣処理機に関する。
【背景技術】
【０００２】
紙幣を収納するとともに収納されている紙幣を繰出可能な紙幣収納装置として、従来から様々なタイプのものが知られている。このような紙幣収納装置として、紙幣をテープとともにドラムに巻き取ることによって収納し、このテープをドラムから送り出すことによって紙幣を繰り出すようなテープリール式のものがある。また、特許文献１には、ドラムおよびリールの組合せ体が１つのケーシングの内部に２組設けられており、各組合せ体にそれぞれ紙幣を収納させることができる紙幣収納装置が開示されている。
【先行技術文献】
【特許文献】
【０００３】
【特許文献１】米国特許出願公開公報２０１５／００２１３８５号
【発明の概要】
【発明が解決しようとする課題】
【０００４】
特許文献１に開示される紙幣収納装置では、上下方向において各ドラムと各リールとが少なくとも一部で重なっている。この場合には、ケーシングの上下方向の長さが予め決まっていることにより、最大枚数の紙幣が収納されたときのドラムに巻かれたテープの外周縁の直径も比較的小さくしなければならないため、各ドラムに巻かれる紙幣の最大枚数（すなわち、紙幣の最大収納枚数）が比較的少なくなってしまうという問題がある。
【０００５】
本発明は、このような点を考慮してなされたものであり、紙幣の最大収納枚数を多くすることができる紙幣収納装置および紙幣処理機を提供することを目的とする。
【課題を解決するための手段】
【０００６】
本発明の紙幣収納装置は、ケーシングと、前記ケーシングの内部において当該ケーシングの奥行き方向に並ぶよう設けられ、前記ケーシングの外部から内部に送られた紙幣を収納するとともに収納されている紙幣を繰り出す複数の紙幣収納機構と、を備え、各前記紙幣収納機構は、前記奥行き方向に直交する軸を中心として回転する回転体と、前記回転体にその一端が接続される帯状の巻き取り部材と、前記巻き取り部材の他端が接続され、当該巻き取り部材を収容可能な巻き取り部材収容部とを有しており、各前記紙幣収納機構は、前記巻き取り部材により紙幣を前記回転体に巻き取ることにより紙幣を収納するとともに前記回転体に巻き取られた前記巻き取り部材を当該回転体から巻き出すことにより紙幣を１枚ずつ繰り出すようになっており、前記ケーシングの奥行き方向に直交する方向かつ各前記回転体の軸方向に直交する方向である所定方向において少なくとも１つの前記回転体は各前記巻き取り部材収容部に重ならないような位置に配置されていることを特徴とする。
【０００７】
このような紙幣収納装置によれば、ケーシングの奥行き方向に直交する方向かつ各回転体の軸方向に直交する方向である所定方向において少なくとも１つの回転体は各巻き取り部材収容部に重ならないような位置に配置されているため、最大枚数の紙幣が収納されたときの回転体に巻かれた巻き取り部材の外周縁の直径を比較的大きくすることができ、よって所定方向において各回転体が各巻き取り部材収容部と少なくとも一部で重なっている場合と比較して紙幣の最大収納枚数を多くすることができる。
【０００８】
本発明の紙幣収納装置においては、前記所定方向において全ての前記回転体が各前記巻き取り部材収容部に重ならないような位置に配置されていてもよい。
【０００９】
本発明の紙幣収納装置においては、各前記紙幣収納機構は、前記回転体および前記巻き取り部材収容部の少なくともいずれか一方を回転駆動させる駆動部を有しており、前記所定方向において少なくとも１つの前記回転体は各前記駆動部に重ならないような位置に配置されていてもよい。
【００１０】
本発明の紙幣収納装置においては、少なくとも１つの前記紙幣収納機構について、最大枚数の紙幣が収納されたときの前記回転体に巻かれた前記巻き取り部材の外周縁が前記所定方向において各前記巻き取り部材収容部に重ならないようになっていてもよい。
【００１１】
この場合、全ての前記紙幣収納機構について、最大枚数の紙幣が収納されたときの前記回転体に巻かれた前記巻き取り部材の外周縁が前記所定方向において各前記巻き取り部材収容部に重ならないようになっていてもよい。
【００１２】
本発明の紙幣収納装置においては、全ての前記紙幣収納機構について、最大枚数の紙幣が収納されたときの前記回転体に巻かれた前記巻き取り部材の外周縁が前記ケーシングの奥行き方向においていずれかの前記巻き取り部材収容部と少なくとも一部が重なるようになっていてもよい。
【００１３】
この場合、各前記紙幣収納機構は、前記回転体および前記巻き取り部材収容部の少なくともいずれか一方を回転駆動させる駆動部を有しており、全ての前記回転体について、最大枚数の紙幣が収納されたときの当該回転体に巻かれた前記巻き取り部材の外周縁が前記ケーシングの奥行き方向においていずれかの前記駆動部と少なくとも一部が重なるようになっていてもよい。
【００１４】
本発明の紙幣収納装置においては、少なくとも１つの前記紙幣収納機構において、前記巻き取り部材収容部は、当該巻き取り部材収容部に接続される前記巻き取り部材の一端が接続される前記回転体よりも前記ケーシングの奥行き方向における奥側に配置されていてもよい。
【００１５】
この場合、全ての前記紙幣収納機構において、前記巻き取り部材収容部は、当該巻き取り部材収容部に接続される前記巻き取り部材の一端が接続される前記回転体よりも前記ケーシングの奥行き方向における奥側に配置されていてもよい。
【００１６】
また、各前記紙幣収納機構は、前記回転体および前記巻き取り部材収容部の少なくともいずれか一方を回転駆動させる駆動部を有しており、少なくとも１つの前記紙幣収納機構において、前記駆動部は、当該駆動部が回転駆動させる前記回転体よりも前記ケーシングの奥行き方向における奥側に配置されていてもよい。
【００１７】
本発明の紙幣収納装置においては、複数の前記回転体のうち前記ケーシングの奥行き方向における奥側に配置される前記回転体の周囲に全ての前記巻き取り部材収容部が配置されていてもよい。
【００１８】
この場合、複数の前記回転体のうち前記ケーシングの奥行き方向における奥側に配置される前記回転体の周囲に全ての前記駆動部が配置されていてもよい。
【００１９】
本発明の紙幣収納装置においては、前記ケーシングは略直方体形状であり、前記ケーシングの最も面積が広い長方形の側面の長辺方向が前記ケーシングの奥行き方向であり、前記所定方向は、各前記回転体の軸方向に直交する面に沿った方向で、前記ケーシングの最も面積が広い長方形の側面の長辺に直交する面に沿った方向であってもよい。
【００２０】
この場合、前記ケーシングの内部において２つの前記紙幣収納機構が設けられており、各前記回転体の軸方向に直交する前記ケーシングの側面の短辺の長さに対する長辺の長さの割合は２乃至３の範囲内の大きさであってもよい。
【００２１】
本発明の紙幣収納装置においては、前記ケーシングの奥行き方向における奥側に配置される前記回転体に巻かれる紙幣の最大枚数が手前側に配置される前記回転体に巻かれる紙幣の最大枚数よりも多くなっていてもよい。
【００２２】
本発明の紙幣処理機は、紙幣を搬送する搬送部と、上述した紙幣収納装置と、を備え、前記搬送部から前記紙幣収納装置に送られた紙幣が各前記紙幣収納機構に収納されるとともに各前記紙幣収納機構から繰り出された紙幣が前記搬送部に送られるようになっていることを特徴とする。
【００２３】
本発明の紙幣処理機においては、複数の前記紙幣収納装置が並列に並ぶよう配置されていてもよい。
【発明の効果】
【００２４】
本発明の紙幣収納装置および紙幣処理機によれば、紙幣の最大収納枚数を多くすることができる。
【図面の簡単な説明】
【００２５】
【図１】本発明の実施の形態による貨幣処理システムの外観を示す斜視図である。
【図２】図１に示す貨幣処理システムにおける紙幣処理機の内部構成を示す側面図である。
【図３】図１に示す貨幣処理システムの制御系の構成を示す機能ブロック図である。
【図４】図１に示す貨幣処理システムにおける、２つのドラムが設けられた収納繰出部の構成の詳細を示す側面図である。
【図５】図１に示す貨幣処理システムにおける、各収納繰出部および搬送部の構成を示す側面図である。
【図６】図４等に示す収納繰出部のユニット構成を示す側面図である。
【図７】図１に示す貨幣処理システムの紙幣処理機における、搬送部から収納繰出部への動力の伝達機構の構成を示す側面図である。
【図８】（ａ）〜（ｄ）は、図４等に示す収納繰出部におけるドラム、リールおよびモータの位置関係を示す説明図である。
【図９】（ａ）〜（ｄ）は、図１に示す貨幣処理システムの紙幣処理機における各収納繰出部の紙幣収納機構に関連付けられている紙幣の金種等を示す説明図である。
【発明を実施するための形態】
【００２６】
以下、図面を参照して本発明の実施の形態について説明する。図１乃至図９は、本実施の形態に係る貨幣処理システムを示す図である。このうち、図１は、本実施の形態による貨幣処理システムの外観を示す斜視図であり、図２は、図１に示す貨幣処理システムにおける紙幣処理機の内部構成を示す側面図であり、図３は、図１に示す貨幣処理システムの制御系の構成を示す機能ブロック図である。また、図４は、図１に示す貨幣処理システムにおける、２つのドラムが設けられた収納繰出部の構成の詳細を示す側面図であり、図５は、図１に示す貨幣処理システムにおける、各収納繰出部および搬送部の構成を示す側面図である。また、図６は、図４等に示す収納繰出部のユニット構成を示す側面図であり、図７は、図１に示す貨幣処理システムの紙幣処理機における、搬送部から収納繰出部への動力の伝達機構の構成を示す側面図である。また、図８（ａ）〜図８（ｄ）は、図４等に示す収納繰出部におけるドラム、リールおよびモータの位置関係を示す説明図であり、図９（ａ）〜（ｄ）は、図１に示す貨幣処理システムの紙幣処理機における各収納繰出部の紙幣収納機構に関連付けられている紙幣の金種等を示す説明図である。
【００２７】
本実施の形態による貨幣処理システムは、スーパーマーケットやコンビニエンスストア等の店舗に配置され、売上金としての紙幣や硬貨の入金処理を行うとともに釣銭としての紙幣や硬貨の出金処理を行うものである。図１に示すように、本実施の形態による貨幣処理システムは、左右に並ぶよう配置された紙幣処理機１および硬貨処理機１０１を備えている。また、紙幣処理機１にはＰＯＳレジスタ（図示せず）がＬＡＮ等により通信可能に接続されている。また、店舗内に設けられた精算所には、係員側と顧客側とに区切る精算台（テーブルやカウンター）が設置されており、係員は、精算台の一方の側で待機するようになっている。ＰＯＳレジスタは、係員が操作できるように、係員が待機する側に配置されることが多い。一方、顧客は、精算台の他方の側に立ち、購入したい商品を精算台の上に載せる。そして、係員は、精算台の上に載せられた商品の番号や価格をＰＯＳレジスタに登録する。また、係員は、顧客から貨幣を受け取り、貨幣処理システムに投入する。このような貨幣処理システムの詳細について以下に説明する。
【００２８】
まず、紙幣処理機１の構成の詳細について図２を用いて説明する。なお、図２における筐体１ａ（後述）の右側の側面が紙幣処理機１の前面側（すなわち、図１に示すように紙幣処理機１を手前側から見たときの正面側）となっており、図２における左方向が筐体１ａの奥行き方向となっている。
【００２９】
図２に示すように、紙幣処理機１は略直方体形状の筐体１ａを有している。また、紙幣処理機１は上部ユニット２および下部ユニット３を有しており、上部ユニット２には、筐体１ａの外部から内部に紙幣を投入するための紙幣投入部１０と、紙幣投入部１０により筐体１ａの内部に投入された紙幣を搬送する搬送部１２と、搬送部１２に設けられ、当該搬送部１２により搬送される紙幣を識別する識別部１４と、筐体１ａの内部から外部に紙幣を投出するための紙幣投出部１６とがそれぞれ設けられている。
【００３０】
紙幣投入部１０には、フィードローラやキッカローラ等の複数のローラが設けられており、操作者によって紙幣投入部１０に積層状態で載置された紙幣のうち最下層の紙幣がキッカローラによりフィードローラに向かって１枚ずつ蹴り出され、この蹴り出された紙幣がフィードローラにより筐体１ａの内部に１枚ずつ繰り出されるようになっている。紙幣投入部１０により筐体１ａの内部に繰り出された紙幣は搬送部１２により１枚ずつ搬送されるようになっている。また、識別部１４は、搬送部１２により搬送される紙幣の金種、真偽、正損、新旧、表裏、搬送状態等の識別を行うようになっている。識別部１４により識別された紙幣は搬送部１２によって後述する各収納繰出部２０に例えば金種毎に送られるようになっている。
【００３１】
搬送部１２における分岐箇所には分岐爪等の分岐部材１２ｅ（図５参照）がそれぞれ設けられており、これらの分岐部材１２ｅにより分岐箇所における紙幣の搬送先が決められるようになっている。また、図２に示すように、搬送部１２における様々な箇所には当該搬送部１２により搬送される紙幣を検知する紙幣検知センサ１２ａが設けられている。各紙幣検知センサ１２ａは発光素子および受光素子を有する光センサ等から構成されており、発光素子から発せられた光が搬送部１２により搬送される紙幣によって遮られて受光素子により受けられなくなることにより当該紙幣が紙幣検知センサ１２ａにより検知されるようになっている。各紙幣検知センサ１２ａによる紙幣の検知情報は後述する制御部５０に送られるようになっている。また、各紙幣検知センサ１２ａによる紙幣の検知結果に基づいて、搬送部１２により搬送される複数の紙幣間の間隔が所定の大きさとなっているか否かが制御部５０により判断されるようになっており、搬送部１２により搬送される複数の紙幣間の間隔が所定の大きさから大きく異なっていると制御部５０により判断された場合には、搬送部１２により搬送される紙幣に斜行、重送、連鎖等の搬送異常が生じていることが検知されるようになる。
【００３２】
また、上部ユニット２において、搬送部１２には２つの紙幣収納部１８、１９（キャプチャービン）が接続されている。各紙幣収納部１８、１９には、搬送部１２から送られた紙幣がそれぞれ収納されるようになっているが、各紙幣収納部１８、１９に収納されている紙幣をこれらの紙幣収納部１８、１９から搬送部１２に繰り出すことができないようになっている。また、紙幣の入金処理および出金処理の両方の場合において搬送部１２から各紙幣収納部１８、１９に紙幣を送ることができるようこれらの紙幣収納部１８、１９の位置が決められている。また、本実施の形態では、２つの紙幣収納部１８、１９のうち一方の紙幣収納部（例えば、紙幣投出部１６に近い側の紙幣収納部１９）には、偽券および真偽不確定券のうち少なくとも一方が収納されるようになっている。また、他方の紙幣収納部（例えば、紙幣投出部１６から遠い側の紙幣収納部１８）には、紙幣の出金処理が行われる際に後述する各収納繰出部２０から搬送部１２に繰り出されたが紙幣投出部１６により筐体１ａの外部に投出することができない紙幣（具体的には、例えば搬送異常の紙幣）が収納されるようになっている。
【００３３】
また、図２に示すように、搬送部１２は上部ユニット２および下部ユニット３をまたがるよう設けられており、下部ユニット３において搬送部１２には複数（図２に示す例では４つ）の収納繰出部２０が接続されている。各収納繰出部２０は紙幣処理機１の高さ方向に沿って並列に並ぶよう配置されている。なお、本実施の形態では、後述するように、各収納繰出部２０は紙幣処理機１の下部ユニット３から取り外し可能となっている。また、各収納繰出部２０は、搬送部１２から送られた紙幣を収納するとともに、収納されている紙幣を１枚ずつ搬送部１２に繰り出すことができるようになっている。より詳細には、４つの収納繰出部２０のうち最も上側の収納繰出部２０および最も下側の収納繰出部２０は、それぞれ、１つのドラム２２ａが設けられた紙幣収納機構２２を有しており、搬送部１２から送られた紙幣を１枚ずつ一対のテープ間に挟み込んだ状態で当該テープを紙幣とともにドラム２２ａに巻き取るようになっている。また、ドラム２２ａがテープの巻き取り方向とは逆方向に回転すると、当該ドラム２２ａからテープが巻き出されることにより一対のテープ間に挟まれている紙幣が搬送部１２に１枚ずつ繰り出されるようになる。紙幣収納機構２２における紙幣の最大収納枚数は、例えば３００枚となっている。また、４つの収納繰出部２０のうち上から２番目の収納繰出部２０および上から３番目の収納繰出部２０は、それぞれ、紙幣の最大収納容量が互いに異なる２つの紙幣収納機構２４、２６を有しており、各紙幣収納機構２４、２６にはそれぞれドラム２４ａ、２６ａが設けられている。具体的には、各紙幣収納機構２４、２６において、搬送部１２から送られた紙幣を１枚ずつ一対のテープ間に挟み込んだ状態で当該テープを紙幣とともにドラム２４ａ、２６ａに巻き取るようになっている。また、ドラム２４ａ、２６ａがテープの巻き取り方向とは逆方向に回転すると、当該ドラム２４ａ、２６ａからテープが巻き出されることにより一対のテープ間に挟まれている紙幣が搬送部１２に１枚ずつ繰り出されるようになる。ここで、ドラム２６ａに巻き取られるテープの長さはドラム２４ａに巻き取られるテープの長さよりも大きくなっており、このことによりドラム２６ａにおける紙幣の最大収納枚数はドラム２４ａにおける紙幣の最大収納枚数よりも多くなっている。具体的には、紙幣収納機構２４における紙幣の最大収納枚数は例えば１００枚であるのに対し、紙幣収納機構２６における紙幣の最大収納枚数は２００枚となっている。また、紙幣収納機構２４における紙幣の最大収納枚数および紙幣収納機構２６における紙幣の最大収納枚数の合計は３００枚であり、紙幣収納機構２２における紙幣の最大収納枚数と同等となっている。このような２つの紙幣収納機構２４、２６を有する収納繰出部２０の構成の詳細については後述する。
【００３４】
また、下部ユニット３において搬送部１２には回収部４０が設けられており、この回収部４０は、各収納繰出部２０に収納された紙幣を回収する際に用いられるようになっている。より具体的には、回収部４０には、紙幣を収納する紙幣収納袋（図示せず）が着脱自在に装着可能となっており、各収納繰出部２０から搬送部１２を経て回収部４０に送られた紙幣が紙幣収納袋の内部に収納されるようになっている。また、各収納繰出部２０に割り当てられていない金種の紙幣や、対応する金種の収納繰出部２０がフル状態のために収納できないオーバーフロー紙幣も、回収部４０に装着された紙幣収納袋の内部に収納されるようになっている。そして、回収部４０から紙幣収納袋を取り出すことにより、紙幣処理機１から紙幣収納袋ごと紙幣の回収を行うようになっている。なお、回収部４０として、紙幣を収納する紙幣収納袋（図示せず）が着脱自在に装着可能となっているものの代わりに、紙幣を収納する紙幣回収カセットが装着可能となっているものが用いられてもよい。この場合には、搬送部１２から回収部４０に送られた紙幣は紙幣回収カセットの内部に収納されるようになる。また、紙幣回収カセットに紙幣が収納された後、回収部４０から紙幣回収カセットを取り出すことにより、紙幣処理機１から紙幣回収カセットごと紙幣の回収を行うことができるようになる。
【００３５】
また、本実施の形態による紙幣処理機１では、下部ユニット３は、所定の権限を有する操作者しか内部にアクセスすることができない金庫筐体として構成されている。より詳細には、下部ユニット３の内部にある各収納繰出部２０や回収部４０に収納されている紙幣の管理権限は警送会社側にあり、警送会社の警備員のみが下部ユニット３の扉（図示せず）を開いて当該下部ユニット３の内部にアクセスすることができるようになっている。
具体的には、下部ユニット３の扉を閉止状態でロックするロック機構（図示せず）が設けられており、このロック機構による扉のロックを解除するための鍵や暗証番号は、下部ユニット３の内部にアクセスすることを許可された操作者（例えば、警送会社の警備員）だけに与えられる。このことにより、回収部４０に装着されている紙幣収納袋は、警送会社の警備員のみが下部ユニット３の内部から回収することができるようになる。すなわち、店舗の店員等は下部ユニット３の内部にアクセスして各収納繰出部２０や回収部４０に収納されている紙幣を取り出すことができないようになっている。このことにより、各収納繰出部２０や回収部４０に収納されている紙幣の防盗性を高めることができるようになる。
【００３６】
図１および図２に示すように、紙幣投出部１６には、当該紙幣投出部１６における紙幣の投出口の開閉を行うシャッタ機構１７が設けられている。図１および図２に示すようにシャッタ機構１７によって紙幣投出部１６における紙幣の投出口が閉じられている場合には、紙幣の出金処理が行われる際に搬送部１２から紙幣投出部１６に送られた紙幣を操作者は当該紙幣投出部１６から筐体１ａの外部に取り出すことができないようになっている。一方、シャッタ機構１７によって紙幣投出部１６における紙幣の投出口が開かれた場合には、搬送部１２から紙幣投出部１６に送られた紙幣を操作者は当該紙幣投出部１６から筐体１ａの外部に取り出すことができるようになる。なお、紙幣処理機１が待機状態にあるときには、シャッタ機構１７は紙幣投出部１６における紙幣の投出口を閉じた状態となっている。
【００３７】
次に、硬貨処理機１０１の構成の詳細について簡単に説明する。硬貨処理機１０１は、略直方体形状の筐体１０１ａと、筐体１０１ａの外部から内部に硬貨を投入するための硬貨投入部１１０と、筐体１０１ａの内部から外部に硬貨を投出するための硬貨投出部１７２とを備えている。また、筐体１０１ａの内部には、硬貨投入部１１０により筐体１０１ａの内部に投入された硬貨の識別を行う識別部（図示せず）、および識別部により識別された硬貨が金種毎に収納される複数の収納繰出部（図示せず）がそれぞれ設けられており、各収納繰出部から繰り出された硬貨が硬貨投出部１７２により筐体１０１ａの内部から外部に投出されるようになっている。また、筐体１０１ａの内部には、オーバーフロー硬貨収納部として用いられる回収ボックス（図示せず）が設けられている。回収ボックスは、筐体１０１ａの下方に設けられた回収ボックス収容部（図示せず）に対して手前側に水平方向に引き出すことができるようになっている。このような回収ボックスには、各収納繰出部に収納することができなかったオーバーフロー硬貨や、各収納繰出部から繰り出された回収されるべき硬貨が収納されるようになっている。そして、回収ボックスに硬貨が収納された後、警送会社の警備員等が回収ボックス収容部から回収ボックスを手前側に引き出すことにより、当該警備員等は硬貨を回収ボックスごと回収することができるようになっている。
【００３８】
次に、本実施の形態による貨幣処理システムの制御系の構成について図３を用いて説明する。図３に示すように、紙幣処理機１の筐体１ａの内部には制御部５０が設けられており、当該制御部５０により紙幣処理機１の各構成部材が制御されるようになっている。より詳細には、制御部５０には、紙幣投入部１０、搬送部１２、各紙幣検知センサ１２ａ、識別部１４、シャッタ機構１７、各収納繰出部２０等がそれぞれ接続されている。そして、識別部１４による紙幣の識別結果に係る信号や各紙幣検知センサ１２ａによる紙幣の検知結果に係る信号が制御部５０に送られるようになっており、また、制御部５０は紙幣投入部１０、搬送部１２、シャッタ機構１７、各収納繰出部２０等の各構成部材に指令信号を送ることによりこれらの構成部材の制御を行うようになっている。また、硬貨処理機１０１の筐体１０１ａの内部には、当該硬貨処理機１０１の各構成部材の制御を行うための制御部１８０が設けられている。また、紙幣処理機１の筐体１ａの内部に設けられている制御部５０と、硬貨処理機１０１の筐体１０１ａの内部に設けられている制御部１８０とは信号線により接続されており、これらの制御部５０および制御部１８０の間で信号の送受信が行われるようになっている。
【００３９】
また、図３に示すように、制御部５０には操作表示部５４、記憶部５６および通信インターフェース部５８がそれぞれ接続されている。操作表示部５４は、例えば筐体１ａの前面や上面に設けられるタッチパネル等から構成されており、紙幣処理機１や硬貨処理機１０１における紙幣や硬貨の処理状況や、紙幣処理機１の各収納繰出部２０や硬貨処理機１０１の各収納繰出部に収納されている紙幣や硬貨の金種毎の在高等の情報等が操作表示部５４に表示されるようになっている。また、操作者は操作表示部５４により紙幣処理機１の制御部５０や硬貨処理機１０１の制御部１８０に様々な指令を入力することができるようになっている。また、記憶部５６には、紙幣処理機１や硬貨処理機１０１における紙幣や硬貨の処理履歴、および紙幣処理機１の各収納繰出部２０や硬貨処理機１０１の各収納繰出部に収納されている紙幣や硬貨の金種毎の在高等の情報等が記憶されるようになっている。また、制御部５０は通信インターフェース部５８を介して紙幣処理機１や硬貨処理機１０１とは別に設けられた外部装置（具体的には、例えばＰＯＳレジスタ）に対して信号の送受信を行うことができるようになっている。また、本実施の形態による貨幣処理システムにおいて、携帯電話やスマートフォン、ｉＰａｄ（登録商標）等の携帯端末（図示せず）を使用することができるようになっている場合には、制御部５０は通信インターフェース部５８を介して携帯端末に対して信号の送受信を行うことができるようになっている。
【００４０】
次に、２つの紙幣収納機構２４、２６を有する収納繰出部２０（すなわち、図２における４つの収納繰出部２０のうち上から２番目および上から３番目の収納繰出部２０）の構成の詳細について図４乃至図８を用いて説明する。
【００４１】
図２に示す紙幣処理機１における４つの収納繰出部２０のうち上から２番目の収納繰出部２０および上から３番目の収納繰出部２０は、略直方体形状のケーシング２０ａと、ケーシング２０ａの内部において当該ケーシング２０ａの奥行き方向（具体的には、図４における右方向）に沿って並ぶよう設けられた２つの紙幣収納機構２４、２６とを有しており、各紙幣収納機構２４、２６は、ケーシング２０ａの外部から内部に送られた紙幣（具体的には、搬送部１２から送られた紙幣）を収納するとともに収納されている紙幣を搬送部１２に繰り出すようになっている。ここで、ケーシング２０ａの奥行き方向とは、略直方体形状のケーシング２０ａの最も面積が広い面を長方形としたときの、その長方形の長辺方向であると定義してもよい。または、ケーシング２０ａの奥行き方向とは、ケーシング２０ａの外部から内部に紙幣を送り込むための投出入口２４ｂが形成された面を正面とし、その正面に対向する面を後面としたときの、正面から後面に向かう方向であると定義してもよい。または、ケーシング２０ａの奥行き方向とは、ケーシング２０ａを、図４に示すような横長の略直方体形状としたときの横方向であると定義してもよい。また、ケーシング２０ａの奥行き方向の奥側とは、ケーシング２０ａの内部に紙幣が送り込まれる方向の下流側であると定義してもよい。具体的には、ケーシング２０ａの内部における紙幣収納機構２４の下方の領域には、投出入口２６ｂから紙幣収納機構２６に紙幣を送る紙幣搬送機構３２が設けられているが、奥行き方向の手前側は投出入口２６ｂが設けられる側であり、奥行方向の奥側は投出入口２６ｂから送り込まれた紙幣が紙幣搬送機構３２により搬送されるときの下流側であると定義してもよい。より具体的には、奥行き方向の手前側は図４の左側であり、奥行方向の奥側は図４の右側であると定義してもよい。なお、ケーシング２０ａは、一体の筐体構造に限定されるものではなく、複数に分割された部品を組み合わせて直方体形状となる構造でもよい。また、収納繰出部２０を複数のユニットに分割可能な構造とし、複数のユニットを一体に組み合わせた場合に、収納繰出部２０としての全体の外観が略直方体形状となるような構造でもよい。要するに、ケーシング２０ａは、収納繰出部２０の外殻であり、それ自体が１つの構造物となっていてもよく、他の構造物と一体となっていてもよく、複数の構造物の集合体となっていてもよい。
【００４２】
図４等に示すように、ケーシング２０ａの奥行き方向における手前側に位置する紙幣収納機構２４は、ケーシング２０ａの奥行き方向に直交する軸を中心として回転するドラム２４ａ（回転体）と、ドラム２４ａの所定箇所（例えば、外周面や軸）にそれぞれその一端が接続される一対の帯状のテープ３０ａ、３０ｂ（巻き取り部材）と、一方のテープ３０ａの他端が接続され、当該テープ３０ａを収容可能なリール２５ａ（巻き取り部材収容部）と、他方のテープ３０ｂの他端が接続され、当該テープ３０ｂを収容可能なリール２５ｂ（巻き取り部材収容部）とを有している。また、紙幣収納機構２４には、ドラム２４ａおよびリール２５ａ、２５ｂの少なくともいずれか一方を回転駆動させるモータ２８（駆動部）が設けられている。具体的には、モータ２８により無端状の循環ベルト（図示せず）が正逆両方向に循環移動させられるようになっており、ドラム２４ａの軸およびリール２５ａ、２５ｂの軸にはそれぞれこの循環ベルトが掛け渡されたプーリが取り付けられている。このことにより、ドラム２４ａに紙幣を巻き取る方向およびドラム２４ａから紙幣を巻き出す方向にそれぞれドラム２４ａおよびリール２５ａ、２５ｂを回転させることができるようになる。また、ケーシング２０ａの奥行き方向における手前側の側面（具体的には、図４における左側の側面）には、搬送部１２から紙幣収納機構２４に送られる紙幣や紙幣収納機構２４から繰り出されて搬送部１２に送られる紙幣が通過する投出入口２４ｂが設けられている。また、図５に示すように、紙幣収納機構２４には、テープ３０ａ、３０ｂによりドラム２４ａに巻き取られた紙幣を押さえる押さえ部材２４ｃが設けられている。押さえ部材２４ｃは、その基端部分に設けられた軸２４ｄを中心として揺動するようになっている。また、軸２４ｄには、押さえ部材２４ｃをドラム２４ａ側に向かって押圧するねじりバネが設けられており、このようなねじりバネによって、ドラム２４ａに巻き取られた紙幣の量が多い場合でも少ない場合でも、押さえ部材２４ｃは常にドラム２４ａに巻き取られた紙幣をドラム２４ａの中心側に向かって押圧するようになっている。
【００４３】
このような紙幣収納機構２４において、一対の帯状のテープ３０ａ、３０ｂの間に紙幣を挟み込んだ状態でこれらの一対のテープ３０ａ、３０ｂをドラム２４ａに巻き取ることによって複数の紙幣を１枚ずつドラム２４ａに収納するとともに、ドラム２４ａから一対のテープ３０ａ、３０ｂを巻き出すことによって紙幣を１枚ずつドラム２４ａから繰り出すようになっている。ここで、本実施の形態では、搬送部１２から投出入口２４ｂを通ってケーシング２０ａの内部に投入された紙幣が一対の帯状のテープ３０ａ、３０ｂの間に挟まれ、紙幣を挟み込んだ状態で一対のテープ３０ａ、３０ｂがドラム２４ａに巻き取られるようになっている。また、ドラム２４ａから一対のテープ３０ａ、３０ｂを巻き出すことによってドラム２４ａから繰り出された紙幣は投出入口２４ｂを通って搬送部１２に送られるようになっている。
【００４４】
また、図４等に示すように、ケーシング２０ａの奥行き方向における奥側に位置する紙幣収納機構２６は、ケーシング２０ａの奥行き方向に直交する軸を中心として回転するドラム２６ａ（回転体）と、ドラム２６ａの所定箇所（例えば、外周面や軸）にそれぞれその一端が接続される一対の帯状のテープ３１ａ、３１ｂ（巻き取り部材）と、一方のテープ３１ａの他端が接続され、当該テープ３１ａを収容可能なリール２７ａ（巻き取り部材収容部）と、他方のテープ３１ｂの他端が接続され、当該テープ３１ｂを収容可能なリール２７ｂ（巻き取り部材収容部）とを有している。また、紙幣収納機構２６には、ドラム２６ａおよびリール２７ａ、２７ｂの少なくともいずれか一方を回転駆動させるモータ２９（駆動部）が設けられている。具体的には、モータ２９により無端状の循環ベルト（図示せず）が正逆両方向に循環移動させられるようになっており、ドラム２６ａの軸およびリール２７ａ、２７ｂの軸にはそれぞれこの循環ベルトが掛け渡されたプーリが取り付けられている。このことにより、ドラム２６ａに紙幣を巻き取る方向およびドラム２６ａから紙幣を巻き出す方向にそれぞれドラム２６ａおよびリール２７ａ、２７ｂを回転させることができるようになる。また、ケーシング２０ａの奥行き方向における手前側の側面（具体的には、図４における左側の側面）には、搬送部１２から紙幣収納機構２６に送られる紙幣や紙幣収納機構２６から繰り出されて搬送部１２に送られる紙幣が通過する投出入口２６ｂが設けられている。ここで、ケーシング２０ａの高さ方向において投出入口２６ｂは投出入口２４ｂよりも下方に設けられている。また、図５に示すように、紙幣収納機構２６には、テープ３１ａ、３１ｂによりドラム２６ａに巻き取られた紙幣を押さえる押さえ部材２６ｃが設けられている。押さえ部材２６ｃは、その基端部分に設けられた軸２６ｄを中心として揺動するようになっている。また、軸２６ｄには、押さえ部材２６ｃをドラム２６ａ側に向かって押圧するねじりバネが設けられており、このようなねじりバネによって、ドラム２６ａに巻き取られた紙幣の量が多い場合でも少ない場合でも、押さえ部材２６ｃは常にドラム２６ａに巻き取られた紙幣をドラム２６ａの中心側に向かって押圧するようになっている。
【００４５】
また、図４等に示すように、ケーシング２０ａの内部における紙幣収納機構２４の下方の領域には、投出入口２６ｂから紙幣収納機構２６に紙幣を送るとともに紙幣収納機構２６から繰り出された紙幣を投出入口２６ｂに送る紙幣搬送機構３２が設けられている。ここで、本実施の形態では、搬送部１２から投出入口２６ｂを通ってケーシング２０ａの内部に投入された紙幣が紙幣搬送機構３２により紙幣収納機構２６に送られ、この紙幣収納機構２６に送られた紙幣は一対の帯状のテープ３１ａ、３１ｂの間に挟まれ、紙幣を挟み込んだ状態で一対のテープ３１ａ、３１ｂがドラム２６ａに巻き取られるようになっている。また、ドラム２６ａから一対のテープ３１ａ、３１ｂを巻き出すことによってドラム２６ａから繰り出された紙幣は紙幣搬送機構３２により投出入口２６ｂに送られ、この投出入口２６ｂを通って搬送部１２に送られるようになっている。
【００４６】
また、本実施の形態では、図４に示すように、紙幣搬送機構３２は上下一対の循環ベルト３２ａを有しており、各循環ベルト３２ａはそれぞれ複数のプーリ３２ｂに掛け渡されている。このような紙幣搬送機構３２において、紙幣が一対の循環ベルト３２ａの間に挟まれた状態でこれらの循環ベルト３２ａが循環移動することにより、投出入口２６ｂと紙幣収納機構２６との間で紙幣が搬送されるようになる。また、図７に示すように、循環ベルト３２ａが掛け渡される複数のプーリ３２ｂのうちある１つのプーリ３２ｂ（具体的には、収納繰出部２０の奥行き方向における最も手前側に位置するプーリ３２ｂ）には歯車３２ｃが同軸となるよう取り付けられており、プーリ３２ｂおよび歯車３２ｃは同じ軸を中心として同期して回転するようになっている。また、図７に示すように、搬送部１２は、下部ユニット３内で紙幣を鉛直方向に搬送する循環ベルト１２ｂを有しており、この循環ベルト１２ｂは複数のプーリ１２ｃに掛け渡されるようになっている。また、循環ベルト１２ｂが掛け渡される複数のプーリ１２ｃのうち収納繰出部２０の紙幣搬送機構３２におけるプーリ３２ｂに対向するプーリ１２ｃには歯車１２ｄが同軸となるよう取り付けられており、プーリ１２ｃおよび歯車１２ｄは同じ軸を中心として同期して回転するようになっている。そして、図７に示すように、上述した歯車３２ｃおよび歯車１２ｄは互いに噛み合うようになっており、歯車１２ｄが回転すると歯車３２ｃも回転するようになっている。このような構成により、紙幣搬送機構３２における循環ベルト３２ａの駆動源を収納繰出部２０の内部に設けなくても、搬送部１２における循環ベルト１２ｂの駆動力を歯車１２ｄ、３２ｃによって紙幣搬送機構３２に伝達することにより、循環ベルト３２ａを循環移動させることができるようになり、収納繰出部２０のケーシング２０ａの内部に循環ベルト３２ａの駆動源を設けなくても当該循環ベルト３２ａの駆動力を収納繰出部２０の外部から得ることができるようになる。
【００４７】
次に、２つの紙幣収納機構２４、２６を有する収納繰出部２０のユニット構成について図６を用いて説明する。図６に示すように、収納繰出部２０は、複数のユニットに分離できる構造となっていてもよい。より詳細には、収納繰出部２０には、紙幣収納機構２４の側方に設けられる第１側壁部材３３と、紙幣収納機構２６および紙幣搬送機構３２の側方に設けられる第２側壁部材３４とがそれぞれ設けられており、これらの第１側壁部材３３および第２側壁部材３４は互いに分離可能となっている。また、紙幣収納機構２４のドラム２４ａ、各リール２５ａ、２５ｂおよびモータ２８は第１側壁部材３３に取り付けられて第１のユニットを構成しており、紙幣収納機構２６のドラム２６ａ、各リール２７ａ、２７ｂ、モータ２９および紙幣搬送機構３２は第２側壁部材３４に取り付けられて第２のユニットを構成している。第１のユニットに含まれる紙幣収納機構２４はモータ２８により駆動され、第２のユニットに含まれる紙幣収納機構２６はモータ２９により駆動されるので、第１のユニットと第２のユニットは互いに独立して駆動される。また、第１のユニットと第２のユニットが、搬送部１２を介さずに紙幣を受け渡すことはない。このことにより、紙幣収納機構２４を含む第１のユニットおよび紙幣収納機構２６を含む第２のユニットを互いに分離することができるようになっている。また、第１のユニットと第２のユニットのいずれかが故障したり不要となった場合には、片方のユニットのみを搬送部１２に接続して運用することができる。なお、他の態様の収納繰出部２０では、第２のユニットを、紙幣収納機構２６を含む第３のユニットと紙幣搬送機構３２を含む第４のユニットとに更に分離することができるようになっていてもよい。第３のユニットに含まれる紙幣収納機構２４はモータ２９により駆動され、第４のユニットに含まれる紙幣搬送機構３２は搬送部１２の駆動力を利用して駆動されるので、第３のユニットと第４のユニットは互いに独立して駆動される。このことにより、例えば、第３のユニットを、紙幣の最大収納枚数が異なる別のユニットに付け替えることができる。また、第２側壁部材３４における紙幣搬送機構３２の側方には開口３４ａが設けられており、この開口３４ａを介して操作者は紙幣搬送機構３２の循環ベルト３２ａを見ることができるようになっている。このことにより、紙幣搬送機構３２の循環ベルト３２ａにおいて紙幣の詰まり等のトラブルが発生した場合でも、操作者は開口３４ａを介して循環ベルト３２ａで詰まった紙幣をすぐに確認することができるようになる。また、収納繰出部２０を複数のユニットに分離できる構造とした場合は、複数のユニットを合体した状態の収納繰出部２０の外殻が、ケーシング２０ａを構成する。
【００４８】
また、図６に示すように、紙幣搬送機構３２における紙幣収納機構２６側の底部には開閉ガイド３６が設けられている。開閉ガイド３６は軸３６ａを中心として図６における矢印方向に回転することができるになっており、通常時は図６において実線で示す箇所に位置しているが、紙幣収納機構２６における一対のテープ３１ａ、３１ｂが重ねられるような入口箇所において紙幣の詰まり等のトラブルが発生した場合には図６において二点鎖線で示す位置に開閉ガイド３６を移動させて紙幣搬送機構３２の底部を開くことができるようになっている。このような開閉ガイド３６が設けられていることにより、紙幣収納機構２６に紙幣を収納させる際に紙幣搬送機構３２から紙幣収納機構２６に受け渡された紙幣が一対のテープ３１ａ、３１ｂの間に挟まれずに紙幣収納機構２６の入口箇所で当該紙幣の詰まりが発生したり、紙幣収納機構２６から紙幣を繰り出して紙幣搬送機構３２に送る際に一対のテープ３１ａ、３１ｂの間から解放された紙幣が紙幣搬送機構３２の一対の循環ベルト３２ａの間に挟まれずに紙幣収納機構２６と紙幣搬送機構３２との間で当該紙幣の詰まりが発生したりした場合でも、操作者は開閉ガイド３６を開くことによってこのような詰まりの原因となる紙幣を取り除くことができるようになる。なお、紙幣収納機構２４については、一対のテープ３０ａ、３０ｂにより紙幣が挟まれる箇所が投出入口２４ｂに近いため、紙幣収納機構２４への紙幣の収納時や紙幣収納機構２４からの紙幣の繰り出し時に一対のテープ３０ａ、３０ｂが重ねられる箇所で紙幣の詰まり等のトラブルが発生した場合でも操作者は投出入口２４ｂを介してこのような詰まりの原因となる紙幣を取り除くことができるようになる。
【００４９】
本実施の形態では、図８（ａ）において二点鎖線で示すように、ケーシング２０ａの奥行き方向に直交する方向かつ各ドラム２４ａ、２６ａの軸方向に直交する方向である所定方向（すなわち、図４や図８における上下方向）において少なくとも１つのドラム２４ａ、２６ａは各リール２５ａ、２５ｂ、２７ａ、２７ｂに重ならないような位置に配置されている。ここで、ケーシング２０ａは略直方体形状であり、略直方体形状の最も面積が広い側面は長方形であり、この長方形の長辺方向がケーシングの奥行き方向であり、各ドラム２４ａ、２６ａはケーシングの奥行き方向に並べて配置されている。この場合には、所定方向は、各ドラム２４ａ、２６ａの軸方向に直交する面（すなわち、図４の紙面）に沿った方向で、かつ、略直方体形状のケーシング２０ａの最も面積が広い側面の長辺に直交する面に沿った方向となる。なお、図４に示すような構成の収納繰出部２０では、所定方向において全てのドラム２４ａ、２６ａは各リール２５ａ、２５ｂ、２７ａ、２７ｂに重ならないような位置に配置されている。また、本実施の形態では、所定方向において少なくとも１つのドラム２４ａ、２６ａは各モータ２８、２９に重ならないような位置に配置されている。なお、図４に示すような構成の収納繰出部２０では、所定方向において全てのドラム２４ａ、２６ａは各モータ２８、２９に重ならないような位置に配置されている。このように、所定方向においてドラム２４ａ、２６ａが各リール２５ａ、２５ｂ、２７ａ、２７ｂや各モータ２８、２９と重ならないような位置に配置されているため、当該所定方向におけるケーシング２０ａの長さが予め決まっている場合でも、最大枚数の紙幣が収納されたときの各ドラム２４ａ、２６ａに巻かれたテープ３０ａ、３０ｂ、３１ａ、３１ｂの外周縁の直径を比較的大きくすることができる。このため、本実施の形態では、所定方向において各ドラム２４ａ、２６ａが各リール２５ａ、２５ｂ、２７ａ、２７ｂや各モータ２８、２９と少なくとも一部で重なっている場合と比較して各紙幣収納機構２４、２６における紙幣の最大収納枚数を多くすることができる。なお、最大枚数の紙幣が収納されたときの各ドラム２４ａ、２６ａに巻かれたテープ３０ａ、３０ｂ、３１ａ、３１ｂの外周縁とは、最大枚数の紙幣が、ほぼ同心円状に各ドラム２４ａ、２６ａに巻かれたときの、最も外側に巻かれたテープ３０ａ、３０ｂ、３１ａ、３１ｂが形成する円の外周縁である。
【００５０】
また、本実施の形態では、図８（ｂ）において二点鎖線で示すように、紙幣収納機構２４において最大枚数の紙幣が収納されたときのドラム２４ａに巻かれたテープ３０ａ、３０ｂの外周縁が所定方向において各リール２５ａ、２５ｂやモータ２８と重ならないようになっている。また、紙幣収納機構２６において最大枚数の紙幣が収納されたときのドラム２６ａに巻かれたテープ３０ａ、３０ｂの外周縁が所定方向において各リール２７ａ、２７ｂやモータ２９と重ならないようになっている。この場合には、紙幣収納機構２４、２６における紙幣の最大収納枚数を多くすることができる。なお、図４に示すような構成の収納繰出部２０では、紙幣収納機構２６において最大枚数の紙幣が収納されたときのドラム２６ａに巻かれたテープ３１ａ、３１ｂの外周縁が所定方向において、紙幣収納機構２４のモータ２８と一部が重なるようになっているが、本発明はこのような態様に限定されることはない。変形例に係る収納繰出部において、全ての紙幣収納機構について、最大枚数の紙幣が収納されたときのドラムに巻かれたテープの外周縁が所定方向において各リールや各モータに重ならないようになっていてもよい。
【００５１】
また、本実施の形態では、図８（ｃ）において二点鎖線で示すように、全ての紙幣収納機構２４、２６において最大枚数の紙幣が収納されたときのドラム２４ａ、２６ａに巻かれたテープ３０ａ、３０ｂ、３１ａ、３１ｂの外周縁がケーシング２０ａの奥行き方向（すなわち、図４や図８における左右方向）において各リール２５ａ、２５ｂ、２７ａ、２７ｂや各モータ２８、２９と少なくとも一部が重なるようになっている。この場合には、各紙幣収納機構２４、２６において、ケーシング２０ａの奥行き方向に沿ってドラム２４ａ、２６ａと、各リール２５ａ、２５ｂ、２７ａ、２７ｂや各モータ２８、２９とが並ぶよう配置されるようになるため、ケーシング２０ａの内部の領域におけるデッドスペースが小さくなり、ケーシング２０ａの内部の領域を効率的に用いることができるようになるとともに、ケーシング２０ａの所定方向の長さが小さくなる。
【００５２】
また、本実施の形態では、少なくとも１つの紙幣収納機構２４、２６において、各リール２５ａ、２５ｂ、２７ａ、２７ｂは対応するドラム２４ａ、２６ａよりもケーシング２０ａの奥行き方向における奥側に配置されている。なお、図４に示すような構成の収納繰出部２０では、全ての紙幣収納機構２４、２６において、リール２５ａ、２５ｂ、２７ａ、２７ｂは対応するドラム２４ａ、２６ａよりもケーシング２０ａの奥行き方向における奥側に配置されている。また、本実施の形態では、少なくとも１つの紙幣収納機構２４、２６において、モータ２８、２９は対応するドラム２４ａ、２６ａよりもケーシング２０ａの奥行き方向における奥側に配置されている。なお、図４に示すような構成の収納繰出部２０では、全ての紙幣収納機構２４、２６において、モータ２８、２９は対応するドラム２４ａ、２６ａよりもケーシング２０ａの奥行き方向における奥側に配置されている。このような配置によれば、少なくともケーシング２０ａの奥行き方向における手前側の紙幣収納機構２４において、ドラム２４ａと投出入口２４ｂとの間の距離を小さくすることができ、よってドラム２４ａに巻き取られる前の紙幣やドラム２４ａから繰り出された紙幣の詰まり等のトラブルが発生することを抑制することができる。
【００５３】
また、本実施の形態では、図８（ｄ）において二点鎖線で示すように、複数のドラム２４ａ、２６ａのうちケーシング２０ａの奥行き方向における奥側に配置されるドラム２６ａの周囲に全てのリール２５ａ、２５ｂ、２７ａ、２７ｂが配置されている。また、複数のドラム２４ａ、２６ａのうちケーシング２０ａの奥行き方向における奥側に配置されるドラム２６ａの周囲に全てのモータ２８、２９が配置されている。このことにより、リール２５ａ、２５ｂ、２７ａ、２７ｂやモータ２８、２９がケーシング２０ａの奥行き方向における奥側に位置するようになるため、２つの紙幣収納機構２４、２６を有する収納繰出部２０の重心はケーシング２０ａの奥行き方向における奥側に位置するようになる。ここで、収納繰出部２０の持ち運びを行う際に、ケーシング２０ａの奥行き方向における奥側の側面（具体的には、図４における右側の側面）に設けられた取っ手２０ｂを操作者が手で把持することにより紙幣処理機１の下部ユニット３から取り出したり当該下部ユニット３に収容したりするが、２つの紙幣収納機構２４、２６を有する収納繰出部２０の重心が取っ手２０ｂに近くなることにより、操作者が取っ手２０ｂを持って収納繰出部２０の運搬を行う際の作業の負荷を軽減することができ、また、収納繰出部２０を紙幣処理機１の下部ユニット３から取り出したり当該下部ユニット３に収容したりする作業の負荷を軽減することができるようになる。
【００５４】
また、本実施の形態では、ケーシング２０ａの内部において２つの紙幣収納機構２４、２６が設けられている場合には、各ドラム２４ａ、２６ａの軸方向に直交する面（すなわち、図４の紙面）に沿ったケーシング２０ａの側面の短辺の長さｍに対する長辺の長さｎの割合は２乃至３の範囲内の大きさとなっている。このときには、所定方向（すなわち、図４や図８の上下方向）におけるケーシング２０ａの長さが予め決まっている場合でも、最大枚数の紙幣が収納されたときの各ドラム２４ａ、２６ａに巻かれたテープ３０ａ、３０ｂ、３１ａ、３１ｂの外周縁の直径を比較的大きくすることができ、かつケーシング２０ａの内部に各ドラム２４ａ、２６ａ、各リール２５ａ、２５ｂ、２７ａ、２７ｂ、各モータ２８、２９を詰め込むことによってケーシング２０ａの奥行き方向の長さが大き過ぎるようになってしまうことを防止することができる。
【００５５】
本実施の形態では、このような２つの紙幣収納機構２４、２６を有する収納繰出部２０により、紙幣を収納するとともに収納されている紙幣を繰り出す紙幣収納装置が構成されている。
【００５６】
次に、本実施の形態による貨幣処理システムの動作について説明する。具体的には、紙幣処理機１における紙幣の入金処理、出金処理および回収処理に係る動作について以下に説明する。なお、以下に示すような紙幣処理機１の動作は、制御部５０が当該紙幣処理機１の各構成部材を制御することにより行われるようになっている。
【００５７】
まず、紙幣処理機１における紙幣の入金処理に係る動作について説明する。操作者が操作表示部５４により紙幣の入金処理開始の指令を入力するとともに紙幣投入部１０に紙幣を投入すると、紙幣投入部１０に投入された紙幣は当該紙幣投入部１０に設けられたフィードローラやキッカローラ等の複数のローラによって筐体１ａの内部に１枚ずつ繰り出され、この繰り出された紙幣は搬送部１２により搬送される。また、搬送部１２により搬送される紙幣は識別部１４によりその金種、真偽、正損、新旧、表裏、搬送状態等の識別が行われる。ここで、識別部１４による識別結果に基づいて正常な紙幣であると判断された紙幣は搬送部１２によって上部ユニット２から下部ユニット３に受け渡され、この下部ユニット３の内部に設けられている各収納繰出部２０に金種毎に収納されるようになる。一方、識別部１４により金種が識別できなかった紙幣は紙幣投出部１６に送られ、この紙幣投出部１６に集積される。また、識別部１４により金種は識別できたが、偽券または真偽不確定券と識別された紙幣は搬送部１２により紙幣収納部１９に送られ、この紙幣収納部１９に収納されるようになる。このように、紙幣収納部１９には、識別部１４により偽券であると識別された紙幣および真偽不確定券であると識別された紙幣の両方が収納されるようになる。また、各収納繰出部２０に割り当てられていない金種の紙幣や、対応する金種の収納繰出部２０がフル状態のために収納できないオーバーフロー紙幣は、搬送部１２により回収部４０に送られ、この回収部４０に装着された紙幣収納袋の内部に収納されるようになる。そして、紙幣投入部１０から紙幣が全て筐体１ａの内部に繰り出され、各収納繰出部２０、紙幣収納部１９または回収部４０に送られると、紙幣処理機１における紙幣の入金処理が完了する。
【００５８】
次に、紙幣処理機１における紙幣の出金処理に係る動作について説明する。操作者が操作表示部５４により出金されるべき紙幣の金種毎の枚数や合計金額等を入力するとともに紙幣の出金処理開始の指令を入力すると、出金されるべき紙幣が各収納繰出部２０から搬送部１２に１枚ずつ繰り出され、当該搬送部１２によって下部ユニット３から上部ユニット２に受け渡される。そして、各紙幣検知センサ１２ａによる検知結果に基づいて搬送異常ではないと判断された紙幣は紙幣投出部１６に送られ、この紙幣投出部１６に集積される。また、各紙幣検知センサ１２ａによる検知結果に基づいて搬送異常であると判断された紙幣（すなわち、出金リジェクト紙幣）は紙幣収納部１８に送られ、この紙幣収納部１８に収納されるようになる。そして、出金されるべき紙幣が全て紙幣投出部１６に送られ、この紙幣投出部１６に集積されると、紙幣投出部１６における紙幣の投出口をシャッタ機構１７が開くことにより操作者は紙幣投出部１６から紙幣を筐体１ａの外部に取り出すことができるようになる。その後、紙幣投出部１６から紙幣が筐体１ａの外部に取り出されると、シャッタ機構１７により紙幣投出部１６における紙幣の投出口が再び閉じられる。このようにして紙幣処理機１における紙幣の出金処理が完了する。
【００５９】
次に、紙幣処理機１における紙幣の回収処理に係る動作について説明する。警送会社の警備員等が操作表示部５４により紙幣の回収処理開始の指令を入力すると、各収納繰出部２０に収納されている紙幣が全て当該収納繰出部２０から１枚ずつ搬送部１２に繰り出され、当該搬送部１２によって回収部４０に送られる。具体的には、回収部４０には、紙幣を収納する紙幣収納袋（図示せず）が着脱自在に装着されており、各収納繰出部２０から搬送部１２を経て回収部４０に送られた紙幣は紙幣収納袋の内部に収納される。そして、各収納繰出部２０から全ての紙幣が回収部４０に送られ、当該回収部４０に装着されている紙幣収納袋に収納されると、警送会社の警備員等は下部ユニット３の扉を開けて回収部４０から紙幣収納袋を取り出すことにより、紙幣処理機１から紙幣収納袋ごと紙幣の回収を行う。このようにして、紙幣が収納されている紙幣収納袋が紙幣処理機１から取り出されると、紙幣処理機１における紙幣の回収処理が完了する。なお、回収処理は、各収納繰出部２０に収納されている全ての紙幣を回収する処理に限られず、操作表示部５４により入力された所定の枚数や金額の紙幣だけを回収する処理としてもよい。
【００６０】
また、本実施の形態の紙幣処理機１では、４つの収納繰出部２０における各紙幣収納機構２２、２４、２６（具体的には、各ドラム２２ａ、２４ａ、２６ａ）に対して金種を関連付けることができるようになっている。このとき、各紙幣収納機構２２、２４、２６に対して関連付けられる金種は、互いに異なる金種でもよいし、少なくとも２個の紙幣収納機構２２、２４、２６に対して同じ金種を関連付けてもよい。さらに、紙幣収納機構２２、２４、２６の数が最大となる装置構成の紙幣処理機１について、各紙幣収納機構２２、２４、２６に対して予め金種を関連付けて設定しておく。そして、紙幣収納機構２２、２４、２６が故障したり、紙幣収納機構２２、２４、２６の数が変更された場合には、予め設定された金種が引き継がれるようになっている。このような態様について図９を用いて説明する。図９（ａ）に示す紙幣処理機１において、紙幣収納機構２２、２４、２６の数が最大となる装置構成は、上から１番目の収納繰出部２０の１個の紙幣収納機構２２と、上から２番目の収納繰出部２０の２個の紙幣収納機構２４、２６と、上から３番目の収納繰出部２０の２個の紙幣収納機構２４、２６と、上から４番目の収納繰出部２０の１個の紙幣収納機構２２の合計６個の紙幣収納機構２２、２４、２６を有する装置構成である。この場合、制御部５０において、最大構成である６個の各紙幣収納機構２２、２４、２６に、金種ａ、ｂ、ｃ、ｄ、ｅ、ｆが関連付けられるようになっており、このような各紙幣収納機構２２、２４、２６と金種との関係は記憶部５６に記憶されるようになっている。例えば、４つの収納繰出部２０のうち上から１番目の収納繰出部２０の紙幣収納機構２２には金種ａとして１０ユーロが関連付けられ、上から２番目の収納繰出部２０の各紙幣収納機構２４、２６にはそれぞれ金種ｂ、ｃとして５ユーロおよび５０ユーロが関連付けられ、上から３番目の収納繰出部２０の各紙幣収納機構２４、２６にはそれぞれ金種ｄ、ｅとして１００ユーロおよび２００ユーロが関連付けられ、上から４番目の収納繰出部２０の紙幣収納機構２２には金種ｆとして２０ユーロが関連付けられるようになっている。
【００６１】
図９（ａ）に示すように、４つの収納繰出部２０における各紙幣収納機構２２、２４、２６に各金種ａ、ｂ、ｃ、ｄ、ｅ、ｆが関連付けられている場合において、例えば上から２番目の収納繰出部２０の紙幣収納機構２６において紙幣の詰まり等のトラブルが発生することによりこの紙幣収納機構２６を使用することができなくなった場合には、上から２番目の収納繰出部２０の紙幣収納機構２６への紙幣の収納および当該紙幣収納機構２６からの紙幣の繰り出しは行われなくなるが、他の収納繰出部２０の各紙幣収納機構２２、２４、２６に関連付けられる金種は、予め設定された金種がそのまま引き継がれ、紙幣の収納および繰出動作は継続して行われるようになる（図９（ｂ）参照）。この場合、例えば紙幣の入金処理が行われる際に識別部１４により識別された紙幣の金種が、休止している紙幣収納機構２６に関連付けられている金種（すなわち、５０ユーロ）であった場合には、当該紙幣は回収部４０に送られて紙幣収納袋に収納されるようになる。このようにして、本実施の形態の紙幣処理機１では、複数の収納繰出部２０における各紙幣収納機構２２、２４、２６のうち使用することができなくなった紙幣収納機構以外の紙幣収納機構を継続して使用するような縮退運用を行うことができるようになっている。
【００６２】
また、本実施の形態の紙幣処理機１では、２つの紙幣収納機構２４、２６を有する収納繰出部２０を、１つの紙幣収納機構２２を有する収納繰出部２０に取り換えることができるようになっている。ここで、図９（ｃ）に示すように、上から２番目の収納繰出部２０が、１つの紙幣収納機構２２を有する収納繰出部２０に取り換えられると、この紙幣収納機構２２には、元の収納繰出部２０の紙幣収納機構２６に予め関連付けられていた金種ｃが引き継がれて関連付けられるようになる。より詳細には、元の収納繰出部２０における紙幣収納機構２４および紙幣収納機構２６のうち紙幣の最大収納枚数が多い紙幣収納機構２６に対応する金種が、交換後の収納繰出部２０における紙幣収納機構２２に引き継がれて関連付けられるようになる。このことにより、例えば紙幣の入金処理が行われる際に識別部１４により識別された紙幣の金種が、元の収納繰出部２０に関連付けられていた金種ｃ（すなわち、５０ユーロ）である場合には、当該紙幣は交換後の収納繰出部２０の紙幣収納機構２２に送られて当該紙幣収納機構２２に収納されるようになる。一方、紙幣の入金処理が行われる際に識別部１４により識別された紙幣の金種が、元の収納繰出部２０に関連付けられていた金種ｂ（すなわち、５ユーロ）である場合には、収納繰出部２０の交換が行われた後ではこの金種ｂに対応する紙幣収納機構が存在しないため、当該紙幣は回収部４０に送られて紙幣収納袋に収納されるようになる。なお、本実施の形態における他の例として、２つの紙幣収納機構２４、２６を有する収納繰出部２０が、１つの紙幣収納機構２２を有する収納繰出部２０に取り換えられたときに、元の収納繰出部２０における紙幣収納機構２４および紙幣収納機構２６のうち紙幣の最大収納枚数が少ない紙幣収納機構２４に対応する金種が、交換後の収納繰出部２０における紙幣収納機構２２に引き継がれて関連付けられるよう、制御部５０において収納繰出部２０の交換時における各紙幣収納機構２２、２４、２６の金種に関する設定が予め行われるようになっていてもよい。
【００６３】
また、本実施の形態の紙幣処理機１では、４つの収納繰出部２０における各紙幣収納機構２２、２４、２６に各金種ａ、ｂ、ｃ、ｄ、ｅ、ｆが関連付けられるような態様に限定されることはない。４つの収納繰出部２０における各紙幣収納機構２２、２４、２６に各金種ａ、ｂ、ｃ、ｄ、ｅ、ｆが関連付けられる代わりに、搬送部１２から各収納繰出部２０の紙幣収納機構２２、２４、２６への分岐箇所に各金種ａ、ｂ、ｃ、ｄ、ｅ、ｆが関連付けられるようになっていてもよい。搬送部１２から各収納繰出部２０の紙幣収納機構２２、２４、２６への分岐箇所の数は、紙幣処理機１に装填することができる紙幣収納機構２２、２４、２６の最大数に等しい。よって、各分岐箇所に対して金種を関連付けて設定することは、紙幣収納機構２２、２４、２６の数が最大となる装置構成の紙幣処理機１について、各紙幣収納機構２２、２４、２６に対して予め金種を関連付けて設定しておくことに等しい。このような態様について図９（ｄ）を用いて説明する。上述したように、搬送部１２における分岐箇所には分岐爪等の分岐部材１２ｅがそれぞれ設けられているが、搬送部１２から各収納繰出部２０の紙幣収納機構２２、２４、２６への分岐箇所にそれぞれ金種ａ、ｂ、ｃ、ｄ、ｅ、ｆが関連付けられるようになっており、搬送部１２により搬送される紙幣の金種が各分岐箇所に関連付けられている金種と一致する場合には、当該紙幣は分岐部材１２ｅにより搬送部１２から分岐させられて各収納繰出部２０の紙幣収納機構２２、２４、２６に送られるようになっている。また、このような態様の紙幣処理機１では、１つの紙幣収納機構２２を有する収納繰出部２０における紙幣の投出入口２２ｂ（図５参照）と、２つの紙幣収納機構２４、２６を有する収納繰出部２０における紙幣収納機構２６に対応する紙幣の投出入口２６ｂとが略同一の高さの位置に設けられている。２つの紙幣収納機構２４、２６を有する収納繰出部２０と、１つの紙幣収納機構２２を有する収納繰出部２０とを取り換えた場合、２つの紙幣収納機構２４、２６を有する収納繰出部２０における紙幣収納機構２６に対応する紙幣の投出入口２６ｂと、１つの紙幣収納機構２２を有する収納繰出部２０における紙幣の投出入口２２ｂとは、同じ分岐箇所に接続される。よって、２つの紙幣収納機構２４、２６を有する収納繰出部２０が、１つの紙幣収納機構２２を有する収納繰出部２０に取り換えられても、交換後の収納繰出部２０の紙幣収納機構２２に対する金種は、接続される分岐箇所に予め設定された金種がそのまま引き継いで関連付けられるようになる。また、交換前に、２つの紙幣収納機構２４、２６を有する収納繰出部２０における紙幣収納機構２４に対応する紙幣の投出入口２６ｂに接続されていた分岐箇所は、交換後には接続される投出入口がない。よって、その分岐箇所に予め設定されていた金種の紙幣は、回収部４０に送られて紙幣収納袋に収納されるようになる。
【００６４】
なお、本実施の形態による収納繰出部２０（紙幣収納装置）やこのような収納繰出部２０を備えた紙幣処理機１は、上述したような態様に限定されることはなく、様々な変更を加えることができる。
【００６５】
例えば、図１等に示す紙幣処理機１では、２つの紙幣収納機構２４、２６を有する収納繰出部２０において各紙幣収納機構２４、２６に対応してモータ２７、２９が設けられた例が示されているが、このような態様に限定されることはない。他の例として、収納繰出部２０にモータ２７、２９が設けられておらず、紙幣処理機１の本体側（例えば、搬送部１２）から収納繰出部２０に伝達された動力により各紙幣収納機構２４、２６の各ドラム２４ａ、２６ａや各リール２５ａ、２５ｂ、２７ａ、２７ｂが回転させられるようになっていてもよい。
【００６６】
また、図１等に示す紙幣処理機１では、４つの収納繰出部２０のうち上から２番目の収納繰出部２０および上から３番目の収納繰出部２０に複数（具体的には、２つ）の紙幣収納機構２４、２６が設けられているが、他の例として、全ての収納繰出部２０がそれぞれ複数の紙幣収納機構２４、２６を有する紙幣処理機が用いられてもよい。また、３つ以上の紙幣収納機構を有するような収納繰出部（紙幣収納装置）が用いられてもよい。
【００６７】
また、図１乃至図９に示すような収納繰出部２０（紙幣収納装置）では、ケーシング２０ａの奥行き方向に直交する方向かつ各ドラム２４ａ、２６ａ（回転体）の軸方向に直交する方向である所定方向が紙幣処理機１の高さ方向となっていたが、他の例の収納繰出部（紙幣収納装置）では、紙幣がテープにより巻き取られる各ドラムの軸が鉛直方向に延びており、紙幣が水平面に対して直交する姿勢でドラムに収納されるようになっていてもよい。この場合には、収納繰出部（紙幣収納装置）における所定方向が水平方向（具体的には、紙幣処理機の幅方向）に延びる方向となる。
【００６８】
また、本発明の原理が適用される紙幣収納装置を備えた紙幣処理機は、図１等に示すような構成のものに限定されることはない。本発明の原理が適用される紙幣収納装置を備えた紙幣処理機として、紙幣の入金専用機、紙幣の出金専用機、現金自動預け払い機（ＡＴＭ）、両替機等が用いられてもよい。
【００６９】
また、紙幣以外の紙葉類（例えば、小切手や商品券等）を収納するとともに収納されている紙葉類を繰り出す複数のテープリール式の紙葉類収納機構を備えた紙葉類収納装置に、本実施の形態による収納繰出部２０（紙幣収納装置）の原理を適用してもよい。すなわち、紙葉類の収納を行うとともに収納されている紙葉類を繰り出す紙葉類収納装置において、ケーシングの奥行き方向に直交する方向かつ各ドラム（回転体）の軸方向に直交する方向である所定方向において少なくとも１つのドラムがリール（巻き取り部材収容部）に重ならないような位置に配置されていてもよい。
【符号の説明】
【００７０】
１        紙幣処理機
１ａ      筐体
２        上部ユニット
３        下部ユニット
１０      紙幣投入部
１２      搬送部
１２ａ    紙幣検知センサ
１２ｂ    循環ベルト
１２ｃ    プーリ
１２ｄ    歯車
１２ｅ    分岐部材
１４      識別部
１６      紙幣投出部
１７      シャッタ機構
１８、１９  紙幣収納部
２０      収納繰出部
２０ａ    ケーシング
２０ｂ    取っ手
２２      紙幣収納機構
２２ａ    ドラム
２２ｂ    投出入口
２４、２６  紙幣収納機構
２４ａ、２６ａ  ドラム
２４ｂ、２４ｂ  投出入口
２４ｃ、２６ｃ  押さえ部材
２４ｄ、２６ｄ  軸
２５ａ、２５ｂ、２７ａ、２７ｂ  リール
２８、２９  モータ
３０ａ、３０ｂ、３１ａ、３１ｂ  テープ
３２      紙幣搬送機構
３２ａ    循環ベルト
３２ｂ    プーリ
３２ｃ    歯車
３３      第１側壁部材
３４      第２側壁部材
３４ａ    開口
３６      開閉ガイド
３６ａ    軸
４０      回収部
５０      制御部
５４      操作表示部
５６      記憶部
５８      通信インターフェース部
１０１    硬貨処理機
１０１ａ  筐体
１１０    硬貨投入部
１７２    硬貨投出部
１８０    制御部
【図１】
2018081568.tif 000003
【図２】
2018081568.tif 000004
【図３】
2018081568.tif 000005
【図４】
2018081568.tif 000006
【図５】
2018081568.tif 000007
【図６】
2018081568.tif 000008
【図７】
2018081568.tif 000009
【図８】
2018081568.tif 000010
【図９】
2018081568.tif 000011